(57)【要約】【課題】デッキプレートの有無に関わらず、天井高さを下げることなく、放射空調システムのパイプを天井に取り付ける。【解決手段】取付構造６０は、建物内の天井スラブＳの下方に設けられる平面状のプレート２０と、プレート２０に取り付けられてパイプＰを保持するパイプ保持具１０とを備え、パイプ保持具１０は、プレート２０に取り付けられる取付板と、取付板の一方面に設けられてパイプＰを保持する保持部とを含む。天井スラブＳからアンカーボルト６４を垂下させるように取り付けて、プレート２０に貫通穴を開ける穴加工を施して、化粧ナット６２でプレート２０を固定する取付構造６０により、パイプ保持具１０が取り付けられた逆面が天井スラブＳに対向するように、かつ、離隔するように、プレート２０が天井スラブＳに取り付けられている。【選択図】図６
2019113297.tif 000002
【特許請求の範囲】
【請求項１】
パイプ内を循環する熱媒体からの放射によって冷房または暖房を行う放射空調システムの取付構造であって、
建物内の天井スラブの下方に設けられる平面状のプレートと、
熱伝導材料からなり、前記プレートに取り付けられて前記パイプを保持するパイプ保持具とを備え、
前記パイプ保持具は、前記プレートに取り付けられる取付板と、前記取付板の一方面に設けられて前記パイプを保持する保持部とを含み、前記取付板の他方面が前記プレートに固定され、
前記パイプ保持具が、前記パイプと前記プレートとを熱結合し、
前記プレートにおける前記パイプ保持具が取り付けられた面またはその逆面が前記天井スラブに対向するように前記プレートを前記天井スラブに取り付けることを特徴とする、放射空調システムの取付構造。
【請求項２】
前記プレートを前記天井スラブに取り付ける取付け部材と、前記プレートにパイプ保持具を固定する固定部材とが別部材であることを特徴とする、請求項１に記載の放射空調システムの取付構造。
【請求項３】
前記固定部材はリベットであることを特徴とする、請求項２に記載の放射空調システムの取付構造。
【請求項４】
前記取付け部材は、前記天井スラブに一端が固定され、他端が前記プレートを貫通する棒状の貫通部材を含み、
前記貫通部材の他端が前記プレートにおける前記天井スラブに対向する逆面で固定されることにより、前記プレートを前記天井スラブに取り付けることを特徴とする、請求項２または請求項３に記載の放射空調システムの取付構造。
【請求項５】
前記取付け部材は、前記天井スラブに設けられたレール部材と前記プレートに取り付けられた係止部材とを含み、
前記レール部材に前記係止部材が係止されることにより、前記プレートを前記天井スラブに取り付けることを特徴とする、請求項２または請求項３に記載の放射空調システムの取付構造。
【請求項６】
前記放射空調システムは前記プレートを２以上含み、
前記取付け部材は、前記プレートどうしを連結する連結部材と、前記天井スラブに一端が固定され、他端が前記連結部材を貫通する棒状の貫通部材とを含み、
前記貫通部材の他端が前記連結部材における前記天井スラブに対向する逆面で固定されることにより、前記プレートを前記天井スラブに取り付けることを特徴とする、請求項２または請求項３に記載の放射空調システムの取付構造。
【請求項７】
前記プレートを前記天井スラブに取り付ける取付け部材と、前記プレートにパイプ保持具を固定する固定部材とが共通していることを特徴とする、請求項１に記載の放射空調システムの取付構造。
【請求項８】
前記保持部の基端側に形成された１対の支持部の間において、前記パイプと前記取付板の間にねじの頭部が収まるように、前記パイプ保持具が前記プレートにねじで固定されているとともに、前記ねじが前記プレートを貫通して前記天井スラブに固定されることにより、前記プレートを前記天井スラブに取り付けることを特徴とする、請求項７に記載の放射空調システムの取付構造。
【請求項９】
互いに対向する前記プレートと前記天井スラブとを離隔して、前記プレートを前記天井スラブから吊下げて取り付けることを特徴とする、請求項１〜請求項８のいずれかに記載の放射空調システムの取付構造。
【請求項１０】
前記プレートは、基材層と断熱層とを少なくとも含む構造を備え、前記天井スラブ側に前記断熱層を備えることを特徴とする、請求項１〜請求項８のいずれかに記載の放射空調システムの取付構造。
【請求項１１】
前記基材層は熱伝導率の高い素材で構成されていることを特徴とする、請求項１０に記載の放射空調システムの取付構造。
【請求項１２】
前記プレートにおける前記パイプ保持具が取り付けられた面が前記天井スラブに対向するように前記プレートを前記天井スラブに取り付け、前記プレートは断熱層を備えないことを特徴とする、請求項１〜請求項６、請求項９のいずれかに記載の放射空調システムの取付構造。
【発明の詳細な説明】
【技術分野】
【０００１】
本発明は、パイプ内を循環する熱媒体からの放射によって冷房または暖房を行う放射空調システムに関し、特に、パイプを保持したパイプ保持具を建物内の天井（以下において天井には天井近傍を含むものとする）に取り付ける取付構造に関する。
【背景技術】
【０００２】
従来のこの種のパイプ保持具を備えた放射空調システムが、本出願人に係る出願の登録公報である特許第３０９６２３５号公報（特許文献１）に開示されている。
この特許文献１は、建物内に天井スラブを形成する際の捨て型枠として用いられて天井スラブの下面を構成するデッキプレートを用いてパイプを取り付ける放射空調システムを開示する。この放射空調システムは、前記デッキプレートの下面に間隔を隔てて設けられる複数の補強リブ、および、熱伝導材料からなり、前記補強リブの間に取り付けられて前記パイプを保持するパイプ保持具を備え、前記パイプ保持具は、前記デッキプレートの下面に取り付けられる取付板と、前記取付板の一方面に設けられて前記パイプを保持する保持部とを含み、前記保持部の基端側に形成された１対の支持部の間において、前記パイプと前記取付板の間にねじの頭部が収まるように、前記パイプ保持具が前記デッキレートに、ねじで固定され、前記パイプ保持具が、前記パイプと前記デッキプレートとを熱結合する。
【０００３】
この特許文献１に開示された放射空調システムによると、パイプとデッキプレートとを熱結合するようにしたので、パイプ内を流れる熱媒体からの熱をデッキプレートに伝えることができる点、パイプ保持具およびデッキプレートのいずれもが放射部として機能するので、効率的に冷房または暖房を行うことができる点、および、補強リブの間にパイプ保持具を取り付けることで、空間を有効に利用できる点において、非常に好ましい。
【先行技術文献】
【特許文献】
【０００４】
【特許文献１】特許第３０９６２３５号公報
【発明の概要】
【発明が解決しようとする課題】
【０００５】
上述した特許文献１に開示された放射空調システムにおいては、建物内に天井スラブを形成する際の捨て型枠として用いられて天井スラブの下面を構成するデッキプレートを用いて、パイプを天井に取り付けている。
ところで、新築から時間が経過した建物（特に商業用途等のビル）において空調設備を改修する場合には、従来の（放射空調システムではない）空調システムに代えて、省エネルギー効果が大きく、かつ、放射を利用し心地よい体感温度を実現できる放射空調システムが導入される場合がある。このような場合において、特許文献１に開示されたデッキプレートが存在しなかったり存在しても捨て型枠として埋め込まれている等の理由で特許文献１のように利用できなかったりすること、通常の吊り天井等を改修して放射空調システムのパイプを天井に取り付けたのでは天井高さが下がってしまい空間快適性が損なわれたりすること、が発生している。
【０００６】
本発明は、従来技術において利用していたデッキプレートの有無に関わらず、天井高さを下げることなく、確実に、簡易に、見栄え良く、放射空調システムのパイプを天井に取り付けることのできる放射空調システムの取付構造を提供することである。
【課題を解決するための手段】
【０００７】
上記目的を達成するため、本発明に係る放射空調システムの取付構造は以下の技術的手段を講じている。
すなわち、本発明に係る放射空調システムの取付構造は、パイプ内を循環する熱媒体からの放射によって冷房または暖房を行う放射空調システムの取付構造であって、建物内の天井スラブの下方に設けられる平面状のプレートと、熱伝導材料からなり、前記プレートに取り付けられて前記パイプを保持するパイプ保持具とを備え、前記パイプ保持具は、前記プレートに取り付けられる取付板と、前記取付板の一方面に設けられて前記パイプを保持する保持部とを含み、前記取付板の他方面が前記プレートに固定され、前記パイプ保持具が、前記パイプと前記プレートとを熱結合し、前記プレートにおける前記パイプ保持具が取り付けられた面またはその逆面が前記天井スラブに対向するように前記プレートを前記天井スラブに取り付けることを特徴とする。
【０００８】
好ましくは、前記プレートを前記天井スラブに取り付ける取付け部材と、前記プレートにパイプ保持具を固定する固定部材とが別部材であるように構成することができる。
さらに好ましくは、前記固定部材はリベットであるように構成することができる。
さらに好ましくは、前記取付け部材は、前記天井スラブに一端が固定され、他端が前記プレートを貫通する棒状の貫通部材を含み、前記貫通部材の他端が前記プレートにおける前記天井スラブに対向する逆面で固定されることにより、前記プレートを前記天井スラブに取り付けるように構成することができる。
【０００９】
さらに好ましくは、前記取付け部材は、前記天井スラブに設けられたレール部材と前記プレートに取り付けられた係止部材とを含み、前記レール部材に前記係止部材が係止されることにより、前記プレートを前記天井スラブに取り付けるように構成することができる。
さらに好ましくは、前記放射空調システムは前記プレートを２以上含み、前記取付け部材は、前記プレートどうしを連結する連結部材と、前記天井スラブに一端が固定され、他端が前記連結部材を貫通する棒状の貫通部材とを含み、前記貫通部材の他端が前記連結部材における前記天井スラブに対向する逆面で固定されることにより、前記プレートを前記天井スラブに取り付けるように構成することができる。
【００１０】
さらに好ましくは、前記プレートを前記天井スラブに取り付ける取付け部材と、前記プレートにパイプ保持具を固定する固定部材とが共通しているように構成することができる。
さらに好ましくは、前記保持部の基端側に形成された１対の支持部の間において、前記パイプと前記取付板の間にねじの頭部が収まるように、前記パイプ保持具が前記プレートにねじで固定されているとともに、前記ねじが前記プレートを貫通して前記天井スラブに固定されることにより、前記プレートを前記天井スラブに取り付けるように構成することができる。
【００１１】
さらに好ましくは、互いに対向する前記プレートと前記天井スラブとを離隔して、前記プレートを前記天井スラブから吊下げて取り付けるように構成することができる。
さらに好ましくは、前記プレートは、基材層と断熱層とを少なくとも含む構造を備え、前記天井スラブ側に前記断熱層を備えるように構成することができる。
さらに好ましくは、前記基材層は熱伝導率の高い素材で構成されているように構成することができる。
【００１２】
さらに好ましくは、前記プレートにおける前記パイプ保持具が取り付けられた面が前記天井スラブに対向するように前記プレートを前記天井スラブに取り付け、前記プレートは断熱層を備えないように構成することができる。
【発明の効果】
【００１３】
本発明によると、デッキプレートの有無に関わらず、天井高さを下げることなく、確実に、簡易に、見栄え良く放射空調システムのパイプを天井に取り付けることができる。
【図面の簡単な説明】
【００１４】
【図１】本発明に係る放射空調システムの取付構造で使用されるパイプ保持具の斜視図である。
【図２】本発明に係る放射空調システムの取付構造の基本的な構成を示す図である。
【図３】本発明の第１の実施の形態に係る取付構造３０を示す図である。
【図４】本発明の第２の実施の形態に係る取付構造４０を示す図である。
【図５】本発明の第３の実施の形態に係る取付構造５０を示す図である。
【図６】本発明の第４の実施の形態に係る取付構造６０を示す図である。
【図７】本発明の第４の実施の形態の変形例に係る取付構造７０を示す図である。
【発明を実施するための形態】
【００１５】
＜放射空調システムの取付構造の概略構成＞
以下、本発明の実施の形態に係る放射空調システムの取付構造を、図面に基づき詳しく説明する。この放射空調システムの取付構造は、放射空調システムにおいて効率的に冷房または暖房を行うための熱媒体を循環させる熱交換パイプ（以下において単にパイプと記載する場合がある）Ｐを天井に取り付ける構造であって、特許文献１に開示されたパイプ保持具１０を用いて天井スラブの有無に関わらずパイプＰを天井に取り付ける構造である。このため、まず、このパイプ保持具１０について説明する。
【００１６】
図１を参照して、本発明の実施の形態に係る放射空調システムの取付構造に用いられるパイプ保持具１０は、たとえば、熱交換パイプＰ内を循環する熱媒体からの放射によって、建物内の冷房または暖房を行う放射空調システムに用いられて、熱交換パイプＰを保持する。
図１を参照して、このパイプ保持具１０は、取付板１２および保持部１４を含み、アルミニウムなどの熱伝導性を有する材料を押出成形することなどによって形成される。このパイプ保持具１０を熱伝導材料で形成することによって、後述するプレート２０と熱交換パイプＰとが熱結合される。ただし、パイプ保持具１０の材質は、熱伝導材料であれば特に限定されない。
【００１７】
さらに詳しくは、保持部１４は、互いに間隔を隔てて設けられ、１対の受け部１４Ａおよび１対の支持部１４Ｂを含む。受け部１４Ａは、１対の保持部１４の先端側に設けられ、断面が熱交換パイプＰの外径と略同じかやや小さい内径を有する弧状に形成されて、熱交換パイプＰを受け入れて保持する。１対の受け部１４Ａの先端側の間の距離は、熱交換パイプＰを保持可能なように熱交換パイプＰの外径よりもやや小さく、かつ、熱交換パイプＰを受け部１４Ａ内に押し込み可能な大きさに設定され、たとえば１０ｍｍ〜２０ｍｍ程度である。受け部１４Ａに熱交換パイプＰを取り付けた際には、受け部１４Ａの内周面が熱交換パイプＰの外周面に密着して、熱交換パイプＰを側方から挟持する。
【００１８】
支持部１４Ｂは、保持部１４の基端側に設けられ、プレート２０の一方面と受け部１４Ａとの間を繋ぐとともに、受け部１４Ａを支持する。１対の支持部１４Ｂの間には、間隔部１４Ｃが形成される。
なお、このパイプ保持具１０が取り付けられる対象物が、特許文献１においては取付部（デッキプレートの下面）であることに対して、本発明ではプレート２０であることが異なる点を除いて、このパイプ保持具１０は特許文献１に開示された構造を基本的には備える。
【００１９】
取付板１２は、長手の長方形状に形成され、（プレート２０にパイプ保持具１０を固定する固定部材としての）リベット、接着剤、熱伝導性接着剤、タッピングねじまたはドリルねじのねじ、コンクリートねじを用いて、プレート２０に取り付けられる。これらの中でもリベットが特に好ましい。
詳しくは後述するが、本発明の第３の実施の形態に係る取付構造５０（図５参照）においてはプレート２０を天井スラブＳに取り付ける取付け部材と、取付板１２にパイプ保持具１０を固定する固定部材とが共通しており、たとえばコンクリートねじによりパイプ保持具１０を固定された取付板１２が、そのコンクリートねじにより天井スラブＳに取り付けられる。この場合において、パイプ保持具１０の間隔部１４Ｃは、このコンクリートねじの頭部の高さおよび幅よりも大きく、その高さは、たとえば３ｍｍであり、その幅は、たとえば８ｍｍである。
【００２０】
本実施の形態においては、後述するように、第１の実施の形態に係る取付構造３０（図３参照）、第２の実施の形態に係る取付構造４０（図４参照）、第３の実施の形態に係る取付構造５０（図５参照）、第４の実施の形態に係る取付構造６０（図６参照）、および、第４の実施の形態の変形例に係る取付構造７０（図７参照）に分けて説明するが、これらの実施の形態に共通する放射空調システムの取付構造の概略構成を図２を参照して説明する。
【００２１】
図２に示すように、本発明の実施の形態に係る放射空調システムの取付構造に用いられるパイプ保持具１０は、プレート２０に取り付けられる。限定されるものではないが、プレート２０の長手方向（図２における紙面表裏方向）の長さは、たとえば３０００ｍｍであり、幅方向の長さは、たとえば６０ｍｍである。また、プレート２０は（第４の実施の形態の変形例に係る取付構造７０に用いられる（断熱材を備えない）プレート７２を除いて）、表面材（基材層）としてパンチングメタル、アルミ化粧板等の好ましい意匠を備えた薄板であって、その薄板の天井スラブＳ側に断熱材（岩綿吸音板、ガラスウール等からなる断熱層）が設けられている。すなわち、プレート２０は、基材層と断熱層とを少なくとも含む構造を備え、天井スラブＳ側に断熱層を備える。なお、この基材層は熱伝導率の高い素材（たとえばアルミ等）で構成されていることが好ましい。
【００２２】
ここで、本発明と特許文献１に開示された発明との顕著な差異として、枠として使用されたデッキプレートは、本発明に係るプレート２０（プレート７２）とは別体である点が挙げられる。
図２に示すように、本発明の実施の形態に係る放射空調システムの取付構造においては、建物内の天井スラブＳの下方に設けられる平面状のプレート２０と、熱伝導材料からなり、プレート２０に取り付けられてパイプＰを保持するパイプ保持具１０とを備え、パイプ保持具１０は、プレート２０に取り付けられる取付板１２と、取付板１２の一方面に設けられてパイプＰを保持する保持部１４とを含み、取付板１２の他方面がプレート２０に固定され、パイプ保持具１０が、パイプＰとプレート２０とを熱結合している。そして、プレート２０におけるパイプ保持具１０が取り付けられた面またはその逆面が天井スラブＳに対向するようにプレート２０が天井スラブＳに（接触して、または、離隔して）取り付けられている。なお、本発明の実施の形態に係る取付構造について、以下においてはプレート２０が天井スラブＳに離隔して取り付けられる場合について説明するが、本発明に係る取付構造は上述したようにプレート２０が天井スラブＳに接触して取り付けられる場合も含む。
【００２３】
このようなパイプ保持具１０は、上述したように、建物内の冷房または暖房を行う放射空調システムに用いられる。この放射空調システムは、建物内の施工階の天井に設けられて、場合によってはそのまま天井として使用される。図２に示すように、パイプ保持具１０はプレート２０に固定され、プレート２０は（パイプ保持具１０が取り付けられた面またはその逆面が）天井スラブＳに対向するように、天井スラブＳに（接触して、または、離隔して）取り付けられ、その結果、天井に熱交換パイプＰが保持される。
【００２４】
以上のような概略構成を備える本発明の実施の形態に係る放射空調システムの取付構造を、上述したように、４つの実施の形態および１つの変形例に分けて、以下に詳しく説明する。なお、以下の実施の形態において共通する技術的特徴であって先に記載した実施の形態において説明した特徴については後で記載している実施の形態において繰り返して説明しない場合がある。
【００２５】
＜第１の実施の形態＞
図３を参照して、第１の実施の形態に係る放射空調システムの取付構造３０について説明する。図３（Ａ）は平面図（床面から天井を見上げた図）であって、図３（Ｂ）はその一部断面図である。
この取付構造３０は、図３（Ｂ）に示すように、プレート２０を天井スラブＳに取り付ける取付け部材（後述する係止部材としての嵌め合い金具３２、レール部材としてのレール３４およびレール取付具３６）と、プレート２０にパイプ保持具１０を固定する固定部材（上述したリベット等）とが別部材である。
【００２６】
図３（Ｂ）に示すように、この取付構造３０においては、天井スラブＳの下面にレール取付具３６によりレール３４が取り付けられ、プレート２０の長手方向に摺動自在にレール３４に係止される嵌め合い金具３２がプレート２０に取り付けられている。これにより、互いに対向するプレート２０と天井スラブＳとを離隔して、プレート２０が天井スラブＳから吊下げて取り付けられている。ここで、プレート２０（レール３４も同じ）の長手方向に垂直な方向（幅方向長さ）については、プレート２０よりもレール３４の方が短い。
【００２７】
なお、レール３４が取り付けられている場所は、天井スラブＳ自体であっても、デッキプレートであっても構わない。さらに、他の実施の形態において、天井スラブＳに取り付けられる部材についても、その部材が取り付けられている場所は、天井スラブＳ自体であっても、デッキプレートであっても構わない。
この取付構造３０によると、図３（Ａ）に示すように床面から天井を見上げた場合に、幅方向長さがプレート２０よりもレール３４の方が短いので、放射空調システムにおいてパイプＰを天井に取り付ける場合に、取り付け部材（嵌め合い金具３２、レール３４およびレール取付具３６）が見えないので好ましい。
【００２８】
＜第２の実施の形態＞
図４を参照して、第２の実施の形態に係る放射空調システムの取付構造４０について説明する。図４（Ａ）は平面図（床面から天井を見上げた図）であって、図４（Ｂ）はその一部断面図である。
この取付構造４０は、図４（Ｂ）に示すように、プレート２０を天井スラブＳに取り付ける取付け部材（後述する連結部材としての連結レール４２、貫通部材としてのコンクリートねじ４４）と、プレート２０にパイプ保持具１０を固定する固定部材（上述したリベット等）とが別部材である。
【００２９】
図４（Ｂ）に示すように、この取付構造４０においては、天井スラブＳに一端が固定され、他端がプレート２０を貫通する棒状の貫通部材の一例であるコンクリートねじ４４を含み、コンクリートねじ４４の他端がプレート２０における天井スラブＳに対向する逆面で固定されている。さらに、放射空調システムにおいては通常はプレート２０を２以上含んでおり、その場合には、プレート２０どうしを連結する連結部材である連結レール４２と、天井スラブＳに一端が固定され、他端が連結レール４２を貫通するコンクリートねじ４４とを含み、コンクリートねじ４４の他端が連結レール４２における天井スラブＳに対向する逆面で固定されることにより、プレート２０が天井スラブＳに取り付けられている。
【００３０】
この取付構造４０によると、既存のパンチングメタルや規格のレールを連結レール４２として採用するだけでよく、放射空調システムにおいてパイプＰを天井に取り付ける場合に、簡易に取り付けることができるので好ましい。
＜第３の実施の形態＞
図５を参照して、第３の実施の形態に係る放射空調システムの取付構造５０について説明する。図５（Ａ）は平面図（床面から天井を見上げた図）であって、図５（Ｂ）はその一部断面図である。
【００３１】
この取付構造５０は、図５（Ｂ）に示すように、プレート２０を天井スラブＳに取り付ける取付け部材とプレート２０にパイプ保持具１０を固定する固定部材とが１つの部材であり、その一例はコンクリートねじ５２であって、取付け部材と固定部材とが共通している。
図５（Ｂ）に示すように、この取付構造５０においては、保持部１４における受け部１４Ａの基端側に形成された１対の支持部１４Ｂの間において、パイプＰと取付板１２の間にコンクリートねじ５２の頭部が収まるように、パイプ保持具１０がプレート２０にコンクリートねじ５２で固定されているとともに、コンクリートねじ５２がプレート２０を貫通して天井スラブＳに固定されることにより、プレート２０が天井スラブＳに取り付けられている。
【００３２】
この取付構造５０によると、図５（Ａ）に示すように床面から天井を見上げた場合に、放射空調システムにおいてパイプＰを天井に取り付ける場合に、取り付け部材（コンクリートねじ５２）が見えないので好ましく、さらに、取付時の加工が少なく、簡易に取り付けることができる点で好ましい。
＜第４の実施の形態＞
図６を参照して、第４の実施の形態に係る放射空調システムの取付構造６０について説明する。図６（Ａ）は平面図（床面から天井を見上げた図）であって、図６（Ｂ）はその一部断面図である。
【００３３】
この取付構造６０は、図６（Ｂ）に示すように、プレート２０を天井スラブＳに取り付ける取付け部材（後述するアンカーボルト６４、化粧ナット６２）と、プレート２０にパイプ保持具１０を固定する固定部材（上述したリベット等）とが別部材である。
図６（Ｂ）に示すように、この取付構造６０においては、天井スラブＳからアンカーボルト６４を垂下させるように取り付けて、プレート２０に貫通穴を開ける穴加工を施して、化粧ナット６２でプレート２０を固定する。
【００３４】
この取付構造６０によると、図５（Ａ）に示すように床面から天井を見上げた場合に化粧ナット６２が散在して見えるものの、放射空調システムにおいてパイプＰを天井に取り付ける場合に、取付時の加工が少なく、簡易に取り付けることができる点で好ましい。
＜第４の実施の形態の変形例＞
図７を参照して、第４の実施の形態の変形例に係る放射空調システムの取付構造７０について説明する。図７は図６（Ｂ）に対応する断面図である。
【００３５】
この取付構造７０は、図７に示すように、プレート７２におけるパイプ保持具１０が取り付けられた面が天井スラブＳに対向するようにプレート７２が天井スラブＳに取り付けられているともに、プレート７２が（表面材（基材層）のみで構成されており）断熱層を備えない。すなわち、図７に示す変形例は、図６（Ｂ）に示す第４の実施の形態に対して、プレート７２におけるパイプ保持具１０が取り付けられた面が天井スラブＳに対向している点、および、プレート７２が断熱層を備えない点、の２点で異なる。
【００３６】
なお、この取付構造７０においてはプレート７２が断熱層を備えないことは上述した通りであるが、放射空調システムにおける所望の能力を発現させるためにパイプＰが対向する天井スラブＳまたはデッキプレートに断熱層を設けることが好ましい。
この取付構造７０によると、床面から天井を見上げた場合にパイプＰが見えない点で好ましい。
【００３７】
＜実施の形態の作用効果＞
以上のようにして、本発明の第１〜第４の実施の形態および第４の実施の形態の変形例に係る放射空調システムの取付構造によると、デッキプレートの有無に関わらず、天井高さを下げることなく、確実に、簡易に、見栄え良く放射空調システムのパイプを天井に取り付けることができる。
【００３８】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明は、パイプ内を循環する熱媒体からの放射によって冷房または暖房を行う放射空調システムにおけるパイプの取付構造に好ましく、デッキプレートの有無に関わらず、天井高さを下げることなく、確実に、簡易に、見栄え良く、放射空調システムにおけるパイプを天井に取り付けることのできる点で特に好ましい。
【符号の説明】
【００４０】
１０  パイプ保持具
１２  取付板
１４  保持部
２０  プレート
３０  第１の実施の形態に係る取付構造
４０  第２の実施の形態に係る取付構造
５０  第３の実施の形態に係る取付構造
６０  第４の実施の形態に係る取付構造
７０  第４の実施の形態の変形例に係る取付構造
【図１】
2019113297.tif 000003
【図２】
2019113297.tif 000004
【図３】
2019113297.tif 000005
【図４】
2019113297.tif 000006
【図５】
2019113297.tif 000007
【図６】
2019113297.tif 000008
【図７】
2019113297.tif 000009